(57)【要約】【課題】解決しようとする課題は、軒樋カバー前方に形成されている軒樋カバー湾曲部をより小さい湾曲にした場合や、剛性がより高い材質の軒樋カバーを用いた場合でも、軒樋カバーを軒樋カバー固定具にはめる作業をより容易に行えるようにする点である。【解決手段】軒樋カバー係止辺に工夫を凝らすことにより、課題を解決する。軒樋カバー係止辺は、水上側から水下側に向かって斜め下方に延出する上辺部と、その先端部から内側下方に延出する下辺部とを有している。この上辺部の水下側一部分はさらに下方に傾斜させられている上辺傾斜部を形成している。このように上辺傾斜部を形成することで課題を解決するのである。【選択図】        図１
2006328799.tif 000002
【特許請求の範囲】
【請求項１】
略垂直の面部に、軒樋カバーを取り付けることができる軒樋カバー係止辺が形成されており、
前記軒樋カバー係止辺は、
水上側から水下側に向かって斜め下方に延出する上辺部と
その先端部から内側下方に延出する下辺部とを有している
軒樋カバー固定具において、
前記上辺部の水下側一部分は、さらに下方に傾斜させられている上辺傾斜部を形成していることを特徴とする
軒樋カバー固定具。
【請求項２】
前記下辺部を、先端部から内側下方に傾斜させて下辺傾斜部を形成した
請求項１記載の軒樋カバー固定具。
【発明の詳細な説明】
【技術分野】
【０００１】
本発明は、軒樋カバーを取り付けるための軒樋カバー固定具に関するものである。
【背景技術】
【０００２】
従来の技術について、図１８に基づいて説明する（特許文献１参照）。これは、特開２００４−１８３４７４号公報に示されている軒樋取り付け金具である。鼻隠し等に軒樋取り付け金具を取り付けて、これに軒樋カバーと軒樋を取り付けるものである。
この軒樋取り付け金具の軒樋カバーＫを固定している部分についていうと、略垂直の面部３に、軒樋カバーＫを取り付けることができる軒樋カバー係止辺２が形成されている。
前記軒樋カバー係止辺２は水上側から水下側に向かって斜め下方に延出する上辺部２１と、その先端部２１２から斜め内側下方に延出する下辺部２２とを有している。この上辺部２１は水上側から水下側に向かって斜め下方に傾斜して延出しており、先端部２１２において円弧を形成し、該円弧の延長線上に、下辺部２２が斜め内側下方に湾曲状に延出している。
そして、上辺部２１には軒樋カバー後端係止部２３が、下辺部２２には軒樋カバー前端係止部２４がそれぞれ形成されている。
このような軒樋カバーを固定する構成が開示されており、言い換えると、略垂直の面部３に、軒樋カバーを取り付けることができる軒樋カバー係止辺２が形成されており、軒樋カバー係止辺２は、水上側から水下側に向かって斜め下方に延出する上辺部２１とその先端部２１２から内側下方に延出する下辺部２２とを有している軒樋カバー固定具の構成が開示されている。
【０００３】
【特許文献１】特開２００４−１８３４７４号公報（図１１）
【発明の開示】
【発明が解決しようとする課題】
【０００４】
軒樋カバー前方に形成されている軒樋カバー湾曲部Ｋ２が図１８のようにある程度大きければ問題はないが、軒樋カバー湾曲部Ｋ２を意匠上小さい湾曲にしたい場合、該湾曲部は、湾曲部が大きく形成されたものよりも開きにくくなる。また、剛性がより高い材質の軒樋カバーを用いた場合も、該湾曲部は、剛性がより低い材質の軒樋カバーよりも開きにくくなる。
図１８の軒樋取り付け金具は、軒樋カバーの水上から水下にかけてほぼ全体にわたって、軒樋カバーＫの裏面に沿っているので、軒樋カバー湾曲部Ｋ２が開きにくい場合、軒樋取り付け金具に軒樋カバーをはめ込む作業が困難になる。
その様子を図１９と図２０に基づいて説明する。図１９と図２０は、図１８の軒樋カバー湾曲部Ｋ２を小さいものに設計変更した図である。
軒樋カバーＫを軒樋取り付け金具にはめる際、図１９のように軒樋カバー後端Ｋ３を軒樋カバー後端係止部２３に引っ掛けてから、軒樋カバー水下端部Ｋ４を軒樋取り付け金具の前方にはめる。このとき、矢印ａの方向から押すと、軒樋カバー前方に形成されている軒樋カバー湾曲部Ｋ２が小さい湾曲であるため、開きにくく、矢印ｂの方向に曲がってしまうことがある。
そこで、図２０（イ）のように軒樋カバー水下端部Ｋ４をつかんで矢印ｃの方向に引っ張って軒樋カバー湾曲部Ｋ２を開いた状態にしながら図２０（ロ）のように下方に移動し、図２０（ハ）のようにはめる。
しかし、軒樋カバー湾曲部Ｋ２がより小さい湾曲であると、軒樋カバー水下端部Ｋ４を引っ張るために、より力が必要である。また、手で引っ張るため、作業中に指を挟んでしまうこともある。その上、軒樋カバーＫの長さは長いため、一人で施工することは大変な作業となってしまう。
加えて、軒樋カバー水下端部Ｋ４を引っ張る際に軒樋カバーＫを変形させてしまう可能性もある。
【０００５】
それで、解決しようとする課題は、軒樋カバー前方に形成されている軒樋カバー湾曲部をより小さい湾曲にした場合や、剛性がより高い材質の軒樋カバーを用いた場合でも、軒樋カバーを軒樋カバー固定具にはめる作業をより容易に行えるようにする点である。
【課題を解決するための手段】
【０００６】
前述の軒樋取り付け金具の軒樋カバー係止辺に工夫を凝らすことにより、課題を解決する。
軒樋カバー係止辺は、水上側から水下側に向かって斜め下方に延出する上辺部と、その先端部から内側下方に延出する下辺部とを有している。この上辺部の水下側一部分はさらに下方に傾斜させられている上辺傾斜部を形成している。このように上辺傾斜部を形成することで課題を解決するのである。
【発明の効果】
【０００７】
本発明にかかる軒樋カバー固定具には、上辺傾斜部が形成されているため、軒樋カバーを軒樋カバー固定具にはめる際、軒樋カバー後端を軒樋カバー係止辺の水上側に係止してから、軒樋カバーを上から押すことで、軒樋カバー水下端部は上辺傾斜部に沿って斜め下方に滑りながら軒樋カバー湾曲部は徐々に大きく開き、軒樋カバー水下端部が先端部に達した後、スプリングバックの力で軒樋カバーは元の状態に戻りながら軒樋カバー係止辺の下辺部にはまる。
このため、上辺傾斜部を設けない場合必要とした、軒樋カバー水下端部をつかんで手前に引っ張り、軒樋カバー係止辺の先端部にむかって大きく開くという作業を、必要とせずに取り付けることができる。
軒樋カバー水下端部Ｋ４を引っ張る必要がなくなるため、手で引っ張ったとき指を挟んでしまうという問題もなくなる。また、一人で施工することも、上辺傾斜部を設けない場合より、容易にできる。
【０００８】
このように、本発明にかかる軒樋カバー固定具は、軒樋カバー前方に形成されている軒樋カバー湾曲部をより小さい湾曲にした場合や、剛性がより高い材質の軒樋カバーを用いた場合でも、軒樋カバーを軒樋カバー固定具にはめる作業をより容易に行えるものである。
【０００９】
前述の構成に加えて、軒樋カバー係止辺の下辺部を先端部から内側下方に傾斜させて下辺傾斜部を形成すると、軒樋カバー湾曲部の開きが大きくなっている時間をさらに短くすることができ、軒樋カバー湾曲部が変形する可能性をより低くすることができる。
つまり、下辺部が軒樋カバー湾曲部Ｋ２に沿う湾曲状になっていると、軒樋カバーＫを軒樋カバー固定具に被せるとき、軒樋カバー水下端部が軒樋カバー係止辺の先端部にかかるところまで軒樋カバー湾曲部Ｋ２は開かれていき、軒樋カバー水下端部が先端部にかかったとき、軒樋カバー湾曲部Ｋ２の開き方が最大になる。その後、軒樋カバー湾曲部Ｋ２はスプリングバックの力によって戻るよう働くが、軒樋カバー固定具の湾曲状の下辺部に沿って徐々に軒樋カバー湾曲部Ｋ２がつぼまりながら嵌合していく。
これに比べ、下辺傾斜部を形成すると、軒樋カバー水下端部が軒樋カバー係止辺の先端部に達した後、スプリングバックの力で軒樋カバー水下端部は下辺傾斜部を滑り、軒樋カバー湾曲部は元の形に戻る。
軒樋カバー前方に形成されている湾曲部をより小さい湾曲にした場合や、剛性がより高い材質の軒樋カバーを用いた場合は、スプリングバックの力が一層強いので、軒樋カバー水下端部が軒樋カバー係止辺の先端部に達した後、軒樋カバー水下端部は下辺傾斜部を滑り、軒樋カバー湾曲部はすぐに元の形に戻る。
このように、軒樋カバー湾曲部に沿う湾曲状の下辺部に沿って、徐々に軒樋カバー湾曲部がつぼまりながら嵌合していく場合よりも、軒樋カバー湾曲部の開きが大きくなっている時間を短くすることができる。
この軒樋カバー湾曲部の開きが大きくなっている時間を短くすることができるという効果は、軒樋カバー湾曲部が変形する可能性をより低くするという効果につながる。
【発明を実施するための最良の形態】
【００１０】
軒樋カバー固定具はプレスにて成型できる形状にする。
軒樋カバー固定具に軒樋吊り部を形成すれば、鼻隠し等に軒樋カバー固定具を取り付けて、これに軒樋カバーと軒樋を取り付けることができる。
また、軒樋カバー固定具に角度調整固定具を組み合わせるならば、これらの組み合わせ角度を調整することで、鼻隠しの勾配に対応することができる。
【実施例１】
【００１１】
本発明第一実施例について、図１〜図４に基づいて説明する。
図１と図２は軒樋カバー固定具１の斜視図であり、図１は左側面側から見たところ、図２は右側面側から見たところである。図３は、軒樋カバー固定具１に軒樋カバーＫを取り付けた状態の説明図で、図４は軒樋カバー固定具１に軒樋カバーＫを被せていく様子を表す図である。
【００１２】
軒樋カバーＫは、軒樋カバー上面Ｋ１の後端には、軒樋カバー固定具１の軒樋カバー後端係止部２３に係合する軒樋カバー後端Ｋ３が形成されている。そして、軒樋カバー上面Ｋ１の水下側は円弧を描いた軒樋カバー湾曲部Ｋ２となっており、水下端は軒樋Ｎ内に雨水が入りやすいように水切りを兼ねて下方に突出形成されている軒樋カバー水下端部Ｋ４となっている。
【００１３】
軒樋カバー固定具１は、図１と図２に見られるように、略垂直の面部３と、面部３から略直角に延出している固定部４とを有している。
この固定部４は軒樋カバー固定具１を釘等の止着具にて鼻隠し等に取り付けるための部位である。
面部３には、軒樋カバーを取り付けることができる軒樋カバー係止辺２が形成されている。
この軒樋カバー係止辺２は、水上側から水下側にかけて斜め下方に延出する上辺部２１とその先端部２１２から内側下方に延出する下辺部２２とを有している。図３に示したように、軒樋カバーＫを被せたとき、上辺部２１は、軒樋カバーＫの裏面に沿うよう、水上側から水下側にかけて斜め下方に傾斜している。下辺部２２は、軒樋カバー湾曲部Ｋ２の裏面に沿うように、先端部２１２から内側下方に円弧状に延出している。
そして、上辺部２１の水下側一部分は、上辺部２１よりもさらに下方に傾斜している上辺傾斜部２１１となっている。このため、軒樋カバーＫを被せたとき、図３に示したように、上辺傾斜部２１１と軒樋カバー湾曲部Ｋ２との間に隙間ができる。
軒樋カバー係止辺２の水上側端部には軒樋カバー後端係止部２３が形成されている。
【００１４】
このように構成された軒樋カバー固定具１に軒樋カバーＫを取り付ける様子を図４に基づいて説明する。
軒樋カバーＫを軒樋カバー固定具１にはめる際、図４（イ）のように軒樋カバー後端Ｋ３を軒樋カバー後端係止部２３に引っ掛ける。そして、軒樋カバーＫを軒樋カバー固定具１にはめるために上から押すと、軒樋カバー水下端部Ｋ４は上辺傾斜部２１１に沿って斜め下方に滑り（図４（ロ））、軒樋カバー水下端部Ｋ４が軒樋カバー係止辺２の先端部２１２に達した（図４（ハ））後、スプリングバックの力で軒樋カバーＫは元の状態に戻りながら（図４（ニ））軒樋カバー係止辺の下辺部２２に被さる（図４（ホ））。
【００１５】
このように、上辺傾斜部２１１が形成されているため、軒樋カバーＫを上から押すことで、軒樋カバー水下端部Ｋ４が上辺傾斜部２１１に沿って斜め下方に滑りながら軒樋カバー湾曲部Ｋ２は徐々に大きく開き、軒樋カバー水下端部Ｋ４が先端部２１２に達した後、スプリングバックの力で軒樋カバーは元の状態に戻りながら軒樋カバー係止辺の下辺部２２にはまる。
このため、軒樋カバー湾曲部Ｋ２をより小さい湾曲にした場合や、剛性がより高い材質の軒樋カバーを用いた場合でも、軒樋カバーを軒樋カバー固定具にはめる作業をより容易に行えるものである。
【００１６】
図５と図６は、第一実施例の軒樋カバー係止辺２の他の実施形態を表す図である。
前述の軒樋カバー係止辺２は面を有する形状であったが、図５と図６に示した軒樋カバー係止辺２は面を有していない。
本発明にかかる軒樋カバー固定具の軒樋カバー係止辺は、このように面を有していないものであっても良いことを示す一例である。
【実施例２】
【００１７】
本発明第二実施例について、図７〜図１１に基づいて説明する。
図７と図８は軒樋カバー固定具１の斜視図であり、図７は左側面側から見たところ、図８は右側面側から見たところである。図９は、軒樋カバー固定具１に軒樋カバーＫを取り付けた状態の説明図で、図１０と図１１は軒樋カバー固定具１に軒樋カバーＫを被せていく様子を表す図である。
【００１８】
図７と図８に見られるように、この第二実施例の軒樋カバー固定具１は、第一実施例の軒樋カバー固定具１の下辺部２２を、先端部２１２から内側下方に傾斜させられている下辺傾斜部２２１としたものであり、その他の構成は第一実施例と同じである。
第一実施例の軒樋カバー係止辺２の下辺部２２は、軒樋カバー湾曲部Ｋ２の裏面に沿うように、先端部２１２から内側下方に円弧状に延出しているが、第二実施例の下辺部２２は、先端部２１２から内側下方に傾斜している下辺傾斜部２２１となっている。このため、軒樋カバーＫを被せたとき、図９に示したように、下辺傾斜部２２１と軒樋カバー湾曲部Ｋ２との間に隙間ができる。
【００１９】
このように構成された軒樋カバー固定具１に軒樋カバーＫを取り付ける様子を図１０に基づいて説明する。
軒樋カバーＫを軒樋カバー固定具１にはめる際、図１０（イ）のように軒樋カバー後端Ｋ３を軒樋カバー後端係止部２３に引っ掛ける。そして、軒樋カバーＫを軒樋カバー固定具１にはめるために上から押すと、軒樋カバー水下端部Ｋ４は上辺傾斜部２１１に沿って斜め下方に滑り（図１０（ロ））、軒樋カバー水下端部Ｋ４が軒樋カバー係止辺２の先端部２１２に達した（図１０（ハ））後、スプリングバックの力で軒樋カバーＫは元の状態に戻りながら下辺傾斜部２２１を滑り（図１０（ニ））、軒樋カバー固定具１に被さる（図１０（ホ））。
【００２０】
本第二実施例は、上辺傾斜部２１１が形成されて、さらに下辺傾斜部２２１が形成されているため、軒樋カバー湾曲部Ｋ２の開きが大きくなっている時間をさらに短くすることができる。
つまり、下辺部２２が下辺傾斜部２２１ではなく、軒樋カバー湾曲部Ｋ２に沿う湾曲状になっていると、軒樋カバーＫを軒樋カバー固定具１に被せるとき、軒樋カバー水下端部Ｋ４が軒樋カバー係止辺２の先端部２１２にかかるところまで軒樋カバー湾曲部Ｋ２は開かれていき、軒樋カバー水下端部Ｋ４が先端部２１２にかかったとき、軒樋カバー湾曲部Ｋ２の開き方が最大になる。その後、軒樋カバー湾曲部Ｋ２はスプリングバックの力によって戻るよう働くが、下辺傾斜部２２１が形成されていないため、軒樋カバー湾曲部に沿う湾曲状の下辺部２２に沿って徐々に軒樋カバー湾曲部Ｋ２がつぼまりながら嵌合していく。
これに比べ、本第二実施例は、下辺傾斜部２２１を形成しているため、軒樋カバー水下端部Ｋ４が軒樋カバー係止辺２の先端部２１２に達した後、スプリングバックの力で軒樋カバー水下端部Ｋ４は下辺傾斜部２２１を滑り、軒樋カバー湾曲部Ｋ２は元の形に戻る。
軒樋カバー湾曲部Ｋ２をより小さい湾曲にした場合や、剛性がより高い材質の軒樋カバーを用いた場合は、スプリングバックの力が一層強いので、軒樋カバー水下端部Ｋ４が軒樋カバー係止辺２の先端部２１２に達した後、軒樋カバー水下端部Ｋ４は下辺傾斜部２２１を滑り、軒樋カバー湾曲部Ｋ２はすぐに元の形に戻る。
このように、軒樋カバー湾曲部Ｋ２に沿う湾曲状の下辺部２２に沿って、徐々に軒樋カバー湾曲部Ｋ２がつぼまりながら嵌合していく場合よりも、軒樋カバー湾曲部Ｋ２の開きが大きくなっている時間を短くすることができる。
この軒樋カバー湾曲部Ｋ２の開きが大きくなっている時間を短くすることができるという効果は、軒樋カバー湾曲部が変形する可能性をより低くするという効果につながる。
本第二実施例は、第一実施例が達成する効果に加え、このような効果も達成するものである。
【００２１】
さらに本実施例は、水下方向から軒樋カバーＫを軒樋カバー固定具１に取り付けることができるという利点もある。その様子を表しているのが図１１である。
図１１（イ）のように、軒樋カバー固定具１の下辺傾斜部２２１に軒樋カバーＫの軒樋カバー水下端部Ｋ４を沿わせながら、図１１（ロ）のようにはめ込んでいく。その後、図１１（ハ）（ニ）のように、軒樋カバー後端Ｋ３を軒樋カバー後端係止部２３にはめ込み、図１１（ホ）のように固定することができる。
施工現場や作業者によっては、軒樋カバー固定具１に軒樋カバーＫを取り付ける際、手前から取り付けたいという場合があるが、本実施例はその要望にも応えることができるものである。
【実施例３】
【００２２】
本発明第三実施例について、図１２〜図１７に基づいて説明する。
この実施例は、軒樋カバー固定具１に軒樋吊り部５を形成して軒樋カバーＫと軒樋Ｎとを取り付けることができるようにし、また、軒樋カバー固定具１に角度調整固定具６を組み合わせて、鼻隠しの勾配に対応することができるようにした一実施例である。ここに示す軒樋吊り部５及び角度調整固定具６の構成は一例にすぎず、当業者であれば状況に応じて設計変更を加えていくことができる。
図１２は軒樋カバー固定具１に軒樋カバーＫと軒樋Ｎとを取り付けた状態の説明図、図１３は軒樋カバー固定具１の分解斜視図、図１４と図１５は軒樋カバー固定具１の斜視図であり、図１４は右側面側から見たところ、図１５は左側面側から見たところである。図１６は軒樋カバー固定具１の説明図で、図１７は軒樋カバー固定具１に軒樋カバーＫを被せていく様子を表す図である。
【００２３】
本実施例の軒樋カバーＫを取り付ける部分の構成は、第二実施例の軒樋カバー固定具１と同じ構成になっている。
そして、第二実施例の軒樋カバー固定具１の下に軒樋吊り部５を形成することで、軒樋Ｎを取り付けることができるようにしたもので、軒樋固定部材５１が回動自在に取り付けられている（図１６参照）。
図１２に見られるように、軒樋吊り部５に軒樋Ｎを吊り、軒樋固定部材５１を回動させて、軒樋固定部材５１で軒樋Ｎの縁部分を固定する。このようにして軒樋Ｎを取り付ける。
【００２４】
また、鼻隠しの勾配に対応することができるように、軒樋カバー固定具１に角度調整固定具６を組み合わせている。この点について図１３、図１５、図１６から説明する。
角度調整固定具６の面板部６１は略扇形をしており、鼻隠しＨに止めるための固定部４が面板部６１から略直角に延出して形成されている。
面板部６１には係止長穴６２と軸穴Ｊとが設けられている。係止長穴６２は、鼻隠しの勾配に合わせて軒樋カバー固定具１の角度を調整できるように、弧を描くように設けられている。
軒樋カバー固定具１の面部３には係止穴３１と軸穴Ｊとが設けられていて、軒樋カバー固定具１に角度調整固定具６を組み合わせた時に、軒樋カバー固定具１の係止穴３１に角度調整固定具６の係止長穴６２が、軒樋カバー固定具１の軸穴Ｊに角度調整固定具６の軸穴Ｊがそれぞれ対応する位置に設けられている。
このように構成された軒樋カバー固定具１の軸穴Ｊと角度調整固定具６の軸穴Ｊとを合わせて、軸ピンＪ１を通して組み合わせる。この実施例においては、軸ピンＪ１としてリベットが用いられており、リベットをかしめることで回動自在に組み合わせる。リベットの代わりにボルトを用い、ナットを締めることで回動自在に組み合わせてもよい。
そして、軒樋カバー固定具１の係止穴３１に角度調整固定具６の係止長穴６２を合わせ、係止ピンＪ２を通して固定する。この実施例においては、係止ピンＪ２としてボルトが用いられており、ナットを締めることで固定する。こうして、軒樋カバー固定具１と角度調整固定具６とが組み合わせられる。
これを鼻隠しＨに固定するが、角度調整固定具６の固定部４を鼻隠しＨに止着具等で固定する。その後、前述の通り、軒樋Ｎの縁部分を軒樋吊り部５に引っ掛け、軒樋固定部材５１を回動させて、軒樋固定部材５１で軒樋Ｎの縁部分を固定することで、軒樋Ｎを軒樋カバー固定具１に取り付ける。
【００２５】
このように構成された第三実施例は、第一実施例及び第二実施例に記載した効果を達成する。さらに、軒樋Ｎをも取り付けるタイプの実施例であるため、下辺傾斜部を設けない場合に比べ、軒樋カバー固定具の下辺部と軒樋の縁部分との間を狭くすることができるという効果がある。その点について次に説明する。
【００２６】
図１８のように軒樋カバーの前方下部と軒樋の縁部分との間（つまり、軒樋への雨水の入水口）が広いと、雀等が軒樋Ｎ内に巣を作ることがある。それで、軒樋カバーの前方下部と軒樋の縁部分との間はできるだけ狭くしたい。
軒樋カバーＫの軒樋カバー水下端部Ｋ４は、通常、軒樋Ｎ内に雨水が入りやすいように水切りを兼ねているため、下方に突出して形成されている。
そして、下辺部２２と軒樋Ｎの縁部分との間は、少なくとも軒樋カバー水下端部Ｋ４が通過できる幅は空いていなくてはならない。
下辺傾斜部２２１が形成されておらず、下辺部２２が軒樋カバー湾曲部Ｋ２に沿う湾曲状になっていると、軒樋カバーＫを軒樋カバー固定具１に被せる際、下方に突出している軒樋カバー水下端部Ｋ４の最下端の軌跡は、下辺部２２よりもさらに低いところに円弧状に描かれる。下辺部２２と軒樋Ｎの縁部分との間は、軒樋カバー水下端部Ｋ４が下辺部２２に沿った弧を描いて移動することができる幅に設定されるので、軒樋カバー水下端部Ｋ４の最下端の軌跡よりも下に、さらに遊びを見込んで設定される。
【００２７】
これに比べ本実施例の下辺部２２は、軒樋カバー湾曲部Ｋ２に沿う湾曲状ではなく、下辺傾斜部２２１が形成されている。
図１７に見られるような手順で軒樋カバーＫを取り付けていくが、（イ）〜（ハ）については、第二実施例で説明した通りであるので省略し、図１７（ニ）（ホ）について説明する。
図１７（ニ）に示したように、軒樋カバー水下端部Ｋ４が軒樋カバー係止辺２の先端部２１２に達した後、スプリングバックの力で軒樋カバーＫは元の状態に戻りながら下辺傾斜部２２１を滑り、軒樋カバー固定具１に被さる（図１７（ホ））。
このとき、下辺傾斜部２２１は下方に傾斜しているので、下方に突出した軒樋カバー水下端部Ｋ４の最下端は、下辺傾斜部２２１に沿って直線を描いて移動する。このため、下辺傾斜部２２１と軒樋Ｎの縁部分との間は、軒樋カバー水下端部Ｋ４の水切りの長さに遊びを加えた分があれば、軒樋カバー水下端部Ｋ４が通過できる。
このように、本実施例は、下辺部２２と軒樋Ｎの縁部分との間を、軒樋カバー水下端部Ｋ４が弧を描いて移動することができるように設定する場合よりも、狭い幅にすることができる。つまり、下辺傾斜部を設けない場合に比べ、軒樋カバーの前方下部と軒樋の縁部分との間（つまり、軒樋Ｎへの雨水の入水口）を狭くすることができるのである。
本実施例の構成は、軒樋カバー水下端部Ｋ４を水切りを兼ねるように下方に突出して形成しても、軒樋カバー固定具の下辺部と軒樋の縁部分との間を８mm以下に設定することが可能である。一例として、軒樋カバー固定具の下辺部と軒樋の縁部分との間を８mmに設定すると、成熟した雀の侵入を阻みながらも雨水の流入を好適に行うことができる。
【００２８】
このように本実施例は、下辺傾斜部を設けない場合に比べ、軒樋カバー固定具の下辺部と軒樋の縁部分との間（つまり、軒樋への雨水の入水口）を狭くすることができるため、雀等が軒樋Ｎ内に侵入することを阻むことができ、軒樋内に雀が侵入して巣を作るという課題をも解決するものである。
【図面の簡単な説明】
【００２９】
【図１】本発明第一実施例の軒樋カバー固定具１の斜視図である。
【図２】本発明第一実施例の軒樋カバー固定具１の斜視図である。
【図３】本発明第一実施例の軒樋カバー固定具１に軒樋カバーＫを取り付けた状態の説明図である。
【図４】本発明第一実施例の軒樋カバー固定具１に軒樋カバーＫを被せていく様子を表す図である。
【図５】本発明第一実施例の他の実施形態を表す図である。
【図６】本発明第一実施例の他の実施形態を表す図である。
【図７】本発明第二実施例の軒樋カバー固定具１の斜視図である。
【図８】本発明第二実施例の軒樋カバー固定具１の斜視図である。
【図９】本発明第二実施例の軒樋カバー固定具１に軒樋カバーＫを取り付けた状態の説明図である。
【図１０】本発明第二実施例の軒樋カバー固定具１に軒樋カバーＫを被せていく様子を表す図である。
【図１１】本発明第二実施例の軒樋カバー固定具１に軒樋カバーＫを被せていく様子を表す図である。
【図１２】本発明第三実施例の軒樋カバー固定具１に軒樋カバーＫと軒樋Ｎとを取り付けた状態の説明図である。
【図１３】本発明第三実施例の軒樋カバー固定具１の分解斜視図である。
【図１４】本発明第三実施例の軒樋カバー固定具１の斜視図である。
【図１５】本発明第三実施例の軒樋カバー固定具１の斜視図である。
【図１６】本発明第三実施例の軒樋カバー固定具１の説明図である。
【図１７】本発明第三実施例の軒樋カバー固定具１に軒樋カバーＫを被せていく様子を表す図である。
【図１８】従来の技術を表す図である。
【図１９】従来の技術の説明図である。
【図２０】従来の技術の説明図である。
【符号の説明】
【００３０】
１      軒樋カバー固定具                        
２      軒樋カバー係止辺
２１    上辺部
２１１  上辺傾斜部
２１２  先端部
２２    下辺部
２２１  下辺傾斜部
２３    軒樋カバー後端係止部
２４    軒樋カバー前端係止部
３      面部
３１    係止穴
４      固定部
５      軒樋吊り部
５１    軒樋固定部材
６      角度調整固定具
６１    面板部
６２    係止長穴
Ｋ      軒樋カバー
Ｋ１    軒樋カバー上面
Ｋ２    軒樋カバー湾曲部
Ｋ３    軒樋カバー後端
Ｋ４    軒樋カバー水下端部
Ｈ      鼻隠し
Ｊ      軸穴
Ｊ１    軸ピン
Ｊ２    係止ピン
Ｎ      軒樋
【図１】
2006328799.tif 000003
【図２】
2006328799.tif 000004
【図３】
2006328799.tif 000005
【図４】
2006328799.tif 000006
【図５】
2006328799.tif 000007
【図６】
2006328799.tif 000008
【図７】
2006328799.tif 000009
【図８】
2006328799.tif 000010
【図９】
2006328799.tif 000011
【図１０】
2006328799.tif 000012
【図１１】
2006328799.tif 000013
【図１２】
2006328799.tif 000014
【図１３】
2006328799.tif 000015
【図１４】
2006328799.tif 000016
【図１５】
2006328799.tif 000017
【図１６】
2006328799.tif 000018
【図１７】
2006328799.tif 000019
【図１８】
2006328799.tif 000020
【図１９】
2006328799.tif 000021
【図２０】
2006328799.tif 000022